(57)【要約】  【課題】  半導体化ＤＡＡに内蔵された電圧検出回路を用いて、外付け電話の使用状態を監視することができるファクシミリ装置を提供すること。  【解決手段】  半導体化ＤＡＡ３３に設けられた電圧検出回路３４からの回線電圧を定期的に検出し、その検出値に基づいて外付け電話３の使用状態を監視することができる（Ｓ１３，Ｓ１６，Ｓ２１）。よって、外付け電話３の使用状態を監視するために回線網と外付け電話３との間に従来設けられていた電流検出回路を設ける必要がないので、ファクシミリ装置１の小型化と低コスト化を実現できる。  【選択図】    図５
2005057659.tif 000002
【特許請求の範囲】
【請求項１】
回線網側とファクシミリデータの授受を行う回線Ｉ／Ｆ部に半導体化ＤＡＡを有し、且つ外付け電話を接続可能なファクシミリ装置において、
前記半導体化ＤＡＡ内に回線電圧を検出可能な電圧検出回路を備え、回線閉結時の回線電圧をその電圧検出回路により検出し、その検出値が予め定められた電圧電流特性の規格内となるよう調整するための調整手段と、
前記電圧検出回路からの回線電圧を定期的に検出し、その検出値に基づいて前記外付け電話の使用状態を監視する外付け監視手段と
を備えたことを特徴とするファクシミリ装置。
【請求項２】
前記外付け監視手段は、前記電圧検出回路からの前記検出値が、予め設定されている判定値以下の場合に、前記外付け電話がフックアップ状態であると判断することを特徴とする請求項１記載のファクシミリ装置。
【請求項３】
前記電圧検出回路からの回線電圧に基づいて、前記回線の開放時の定常電圧を決定する定常電圧決定手段と、
その定常電圧決定手段により決定された前記定常電圧よりも所定の基準量小さい値を算出し、前記判定値として設定する判定値設定手段と
をさらに備えたことを特徴とする請求項２記載のファクシミリ装置。
【請求項４】
前記定常電圧決定手段は、前記回線の開放中に前記電圧検出回路からの回線電圧を所定間隔毎に連続して所定回数検出し、その回線電圧の平均値を前記定常電圧として決定するものであることを特徴とする請求項３記載のファクシミリ装置。
【請求項５】
前記定常電圧決定手段は、前記回線電圧を検出する毎に、前回の検出値との差が基準範囲内か否かを判断し、基準範囲内となる検出値が前記所定回数連続して得られた場合に、その平均値を前記定常電圧として決定することを特徴とする請求項４記載のファクシミリ装置。
【請求項６】
前記定常電圧決定手段により新たに定常電圧が得られる毎に、前記判定値設定手段は判定値の更新を行うことを特徴とする請求項３から５のいずれかに記載のファクシミリ装置。
【請求項７】
前記定常電圧決定手段による前記回線電圧の検出の際に、前回の検出値との差が前記基準範囲内でないと判断された場合、
前記外付け監視手段は、その回線電圧が前記判定値以下であるか否かを判断し、判定値以下であれば前記外付け電話がフックアップ状態であると判断することを特徴とする請求項３から６のいずれかに記載のファクシミリ装置。
【請求項８】
前記外付け監視手段は、前記外付け電話がフックアップ状態であると判断された以降も前記電圧検出回路からの前記回線電圧の検出を継続して行い、その電圧検出回路からの前記検出値が、前記予め設定されている判定値より大きい場合に、前記外付け電話がフックダウン状態であると判断しており、
前記外付け監視手段により前記フックダウン状態と判断されるまでは、前記定常電圧決定手段による前記定常電圧の決定処理を行わないことを特徴とする請求項３から７のいずれかに記載のファクシミリ装置。
【請求項９】
前記回線側から送信されるリング信号を検出している場合には、前記定常電圧決定手段による前記定常電圧の決定処理を行わないことを特徴とする請求項３から８のいずれかに記載のファクシミリ装置。
【請求項１０】
前記所定の基準量を変更するための基準量変更手段を備えたことを特徴とする請求項３から９のいずれかに記載のファクシミリ装置。
【発明の詳細な説明】
【技術分野】
【０００１】
本発明は、ファクシミリ装置に関し、特に、半導体化ＤＡＡに内蔵された電圧検出回路を用いて、外付け電話の使用状態を監視することができるファクシミリ装置に関するものである。
【背景技術】
【０００２】
近年、ファクシミリ装置の小型化を目的として、電話回線とのインターフェース（Ｉ／Ｆ）部に、半導体化されたデータアクセス装置（Ｄａｔａ  Ａｃｃｅｓｓ  Ａｒｒａｎｇｅｍｅｎｔ；以下ＤＡＡという）を用いることが知られている。また、ファクシミリ装置に外付け電話を接続し、ファクシミリ装置と外付け電話とが同一の電話回線を用いる使用方法が知られている。この外付け電話のフックアップを検出するために、従来より、外付け電話と電話回線との間において電流検出器が設けられていた。すなわち、フックアップに連動して直流回路が閉結すると直流ループ電流が流れるので、その直流ループ電流を検出して外付け電話のフックアップを検出するために、回線網と外付け電話との間に電流検出器を設けていたのである（特許文献１）。
【特許文献１】特開２００３−５１９２６号公報（［００２６］）
【発明の開示】
【発明が解決しようとする課題】
【０００３】
ところで、回線Ｉ／Ｆ部に用いられる半導体化ＤＡＡには、予め電圧検出回路が内蔵されており、この電圧検出回路により検出される回線閉結時の回線電圧が規格により予め定められた範囲内となるように調整する制御が行われている。一方で、ファクシミリ装置の小型化、低コスト化のためには、省略することが可能な部品はできる限り省くことが望ましい。
【０００４】
本発明者等は以上の事情に基づいて種々検討を重ねた結果、半導体化ＤＡＡの電圧電流特性を調整するために半導体化ＤＡＡに内蔵されている電圧検出回路を利用して、外付け電話のフックアップ又はフックダウンを検出することができることを見出した。
【０００５】
本発明はこのような知見に基づいて為されたものであり、半導体化ＤＡＡに内蔵された電圧検出手段を用いて、外付け電話の使用状態を監視することができるファクシミリ装置を提供することを目的とする。
【課題を解決するための手段】
【０００６】
上記目的を達成するために請求項１記載のファクシミリ装置は、回線網側とファクシミリデータの授受を行う回線Ｉ／Ｆ部に半導体化ＤＡＡを有し、且つ外付け電話を接続可能なファクシミリ装置であって、前記半導体化ＤＡＡ内に回線電圧を検出可能な電圧検出回路を備え、回線閉結時の回線電圧をその電圧検出回路により検出し、その検出値が予め定められた電圧電流特性の規格内となるよう調整するための調整手段と、前記電圧検出回路からの回線電圧を定期的に検出し、その検出値に基づいて前記外付け電話の使用状態を監視する外付け監視手段とを備えて構成されている。
【０００７】
請求項２記載のファクシミリ装置は、請求項１記載のファクシミリ装置において、前記外付け監視手段は、前記電圧検出回路からの前記検出値が、予め設定されている判定値以下の場合に、前記外付け電話がフックアップ状態であると判断するように構成されている。
【０００８】
請求項３記載のファクシミリ装置は、請求項２記載のファクシミリ装置において、前記電圧検出回路からの回線電圧に基づいて、前記回線の開放時の定常電圧を決定する定常電圧決定手段と、その定常電圧決定手段により決定された前記定常電圧よりも所定の基準量小さい値を算出し、前記判定値として設定する判定値設定手段とをさらに備えて構成されている。
【０００９】
請求項４記載のファクシミリ装置は、請求項３記載のファクシミリ装置において、前記定常電圧決定手段は、前記回線の開放中に前記電圧検出回路からの回線電圧を所定間隔毎に連続して所定回数検出し、その回線電圧の平均値を前記定常電圧として決定するように構成されている。
【００１０】
請求項５記載のファクシミリ装置は、請求項４記載のファクシミリ装置において、前記定常電圧決定手段は、前記回線電圧を検出する毎に、前回の検出値との差が基準範囲内か否かを判断し、基準範囲内となる検出値が前記所定回数連続して得られた場合に、その平均値を前記定常電圧として決定するように構成されている。
【００１１】
請求項６記載のファクシミリ装置は、請求項３から５のいずれかに記載のファクシミリ装置において、前記定常電圧決定手段により新たに定常電圧が得られる毎に、前記判定値設定手段は判定値の更新を行うように構成されている。
【００１２】
請求項７記載のファクシミリ装置は、請求項３から６のいずれかに記載のファクシミリ装置において、前記定常電圧決定手段による前記回線電圧の検出の際に、前回の検出値との差が前記基準範囲内でないと判断された場合、前記外付け監視手段は、その回線電圧が前記判定値以下であるか否かを判断し、判定値以下であれば前記外付け電話がフックアップ状態であると判断するように構成されている。
【００１３】
請求項８記載のファクシミリ装置は、請求項３から７のいずれかに記載のファクシミリ装置において、前記外付け監視手段は、前記外付け電話がフックアップ状態であると判断された以降も前記電圧検出回路からの前記回線電圧の検出を継続して行い、その電圧検出回路からの前記検出値が、前記予め設定されている判定値より大きい場合に、前記外付け電話がフックダウン状態であると判断しており、前記外付け監視手段により前記フックダウン状態と判断されるまでは、前記定常電圧決定手段による前記定常電圧の決定処理を行わないように構成されている。
【００１４】
請求項９記載のファクシミリ装置は、請求項３から８のいずれかに記載のファクシミリ装置において、前記回線側から送信されるリング信号を検出している場合には、前記定常電圧決定手段による前記定常電圧の決定処理を行わないように構成されている。
【００１５】
請求項１０記載のファクシミリ装置は、請求項３から９のいずれかに記載のファクシミリ装置において、前記所定の基準量を変更するための基準量変更手段を備えて構成されている。
【発明の効果】
【００１６】
請求項１記載のファクシミリ装置によれば、半導体化ＤＡＡに設けられた電圧検出回路からの回線電圧を定期的に検出し、その検出値に基づいて外付け電話の使用状態を監視することができる。よって、外付け電話の使用状態を監視するために回線網と外付け電話との間に従来設けられていた電流検出回路を設ける必要がないので、ファクシミリ装置の小型化と低コスト化を実現できるという効果がある。
【００１７】
請求項２記載のファクシミリ装置によれば、請求項１記載のファクシミリ装置の奏する効果に加え、外付け監視手段は、電圧検出回路からの検出値が、予め設定されている判定値以下の場合に、外付け電話がフックアップ状態であると判断するので、好適に外付け電話のフックアップ状態を判断することができるという効果がある。すなわち、外付け電話がフックアップ状態になると回線側から外付け電話へ電流が流れて、半導体化ＤＡＡに設けられた電圧検出回路において検出される電圧が降下するので、電圧検出回路からの検出値が所定の判定値以下である場合には、外付け電話がフックアップ状態であると容易に判断することができるのである。
【００１８】
請求項３記載のファクシミリ装置によれば、請求項２記載のファクシミリ装置の奏する効果に加え、電圧検出回路からの検出値が回線の開放時の定常電圧よりも所定の基準量小さい値である判定値以下である場合に、外付け電話がフックアップ状態であると判断するので、例えば、本ファクシミリ装置を設置する国、地域、あるいは回線の使用環境等によって回線電圧が変化しても、回線開放時の回線電圧（定常電圧）が取得できればどのような地域、環境においても好適に外付け電話のフックアップ状態を判断することができるという効果がある。
【００１９】
請求項４記載のファクシミリ装置によれば、請求項３記載のファクシミリ装置の奏する効果に加え、回線の開放中に前記電圧検出回路からの回線電圧を所定間隔毎に連続して所定回数検出し、その回線電圧の平均値を定常電圧として決定することから、国、地域、あるいは回線の使用環境等によって回線電圧（定常電圧）が変化しても、それを装置側で検出して自動的に回線電圧（定常電圧）を取得することができるため、外付け電話の使用状態を判断するための判定値として適切な値を算出することができ、本装置が設置される環境に左右されず、好適に外付け電話のフックアップ状態を検出することができるという効果がある。
【００２０】
請求項５記載のファクシミリ装置によれば、請求項４記載のファクシミリ装置の奏する効果に加え、定常電圧決定手段は、回線電圧を検出する毎に、前回の検出値との差が基準範囲内か否かを判断し、基準範囲内となる検出値が所定回数連続して得られた場合に、その平均値を前記定常電圧として決定することから、回線電圧がクロストーク（混線）等により一時的に変動したとしても、正確な回線電圧を取得し、外付け電話の使用状態を判断するための判定値として適切な値を算出することができるという効果がある。
【００２１】
請求項６記載のファクシミリ装置によれば、請求項３から５のいずれかに記載のファクシミリ装置の奏する効果に加え、定常電圧決定手段により新たに定常電圧が得られる毎に、判定値設定手段は判定値の更新を行うことから、回線電圧が異なる回線網に接続を変更した場合（例えば、回線電圧が４８Ｖの公衆電話網（ＰＳＴＮ）へ接続している状態から内線交換機（ＰＢＸ）、ＩＳＤＮ、インターネットプロトコル電話（ＩＰ電話）へ接続を変更した場合）であっても、請求項６記載のファクシミリ装置によれば、常に適切な判定値に基づいて外付け電話のフックアップ状態又はフックダウン状態を判定することができるという効果がある。
【００２２】
請求項７記載のファクシミリ装置によれば、請求項３から６のいずれかに記載のファクシミリ装置の奏する効果に加え、定常電圧決定手段による回線電圧の検出の際に、前回の検出値との差が基準範囲内でないと判断された場合、外付け監視手段は、その回線電圧が判定値以下であるか否かを判断し、判定値以下であれば外付け電話がフックアップ状態であると判断することから、定常電圧決定手段による定常電圧の決定処理を行いつつ外付け電話の使用状態の監視を行うことができるので、定常電圧の決定処理のために外付け電話の使用状態を監視することができない期間が生じることはなく、外付け電話の使用状態の監視を連続的に行うことができるという効果がある。
【００２３】
請求項８記載のファクシミリ装置によれば、請求項３から７のいずれかに記載のファクシミリ装置の奏する効果に加え、外付け監視手段は、外付け電話がフックアップ状態であると判断された以降も電圧検出回路からの回線電圧の検出を継続して行い、その電圧検出回路からの検出値が、予め設定されている判定値より大きい場合に、外付け電話がフックダウン状態であると判断しており、外付け監視手段によりフックダウン状態と判断されるまでは、定常電圧決定手段による定常電圧の決定処理を行わないので、常に外付け電話がフックダウンの状態で検出される回線電圧に基づいて判定値の更新を行うため、適切な判定値に基づいて外付け電話の使用状態を監視することができるいう効果がある。
【００２４】
請求項９記載のファクシミリ装置によれば、請求項３から８のいずれかに記載のファクシミリ装置の奏する効果に加え、回線側から送信されるリング信号を検出している場合には、定常電圧決定手段による定常電圧の決定処理を行わないので、リング信号の到来により、回線電圧が高くなり、半導体ＤＡＡに高い電圧が供給されている状態で、その通常よりも高い電圧値に基づいて判定値を更新することを防止できるので適切な判定値を算出でき、外付け電話のフックアップ状態又はフックダウン状態を適切に判定することができるという効果がある。
【００２５】
請求項１０記載のファクシミリ装置によれば、請求項３から９のいずれかに記載のファクシミリ装置の奏する効果に加え、所定の基準量を変更するための基準量変更手段を備えていることから、判定値を決定するための基準量を、個々の外付け電話の内部抵抗に応じて設定することができ、外付け電話の使用状態を適切に監視することができ、本ファクシミリ装置の設置される環境に、より適した値に判定値Ｖｔを設定することができるという効果がある。
【発明を実施するための最良の形態】
【００２６】
以下、本発明の好ましい実施例について、図１から図５の添付図面を参照して説明する。
【００２７】
図１は、ファクシミリ装置１の電気的構成を示したブロック図である。ファクシミリ装置１には、ＣＰＵ１１、ＲＯＭ１２、ＥＥＰＲＯＭ１３、ＲＡＭ１４、画像メモリ１５、回線Ｉ／Ｆ部１９、モデム２０、バッファ２１、スキャナ２２、符号化部２３、復号化部２４、プリンタ２５、操作パネル４、ＬＣＤ５およびアンプ２７が設けられており、これらはバスライン３０を介して互いに接続されている。
【００２８】
回線Ｉ／Ｆ部１９は回線制御を行うためのものであり、半導体化ＤＡＡ３３を有している（図２参照）。ファクシミリ装置１はこの回線Ｉ／Ｆ部１９を介して電話回線３１に接続されている。回線Ｉ／Ｆ部１９は、交換機２９から送られる呼出信号（リング信号）や相手側装置の電話番号（発信者番号）を示す信号などの各種信号を受信するとともに、操作パネル４上のキーの操作に応じた発信時のダイヤル信号を交換機２９へ送信する。また、外付け電話端子Ｔ１、Ｔ２を介して外付け電話機３が接続される。
【００２９】
ＣＰＵ１１は、回線Ｉ／Ｆ部１９を介して送受信される各種信号に従って、バスライン３０により接続された各部を制御し、ファクシミリ動作、即ち、データ通信を実行するものである。ＲＯＭ１２は、このファクシミリ装置１で実行される制御プログラムなどを格納した書換不能なメモリであり、図３、図４のフローチャートに示すプログラムは、このＲＯＭ１２内に格納されている。
【００３０】
ＲＡＭ１４は、ファクシミリ装置１の各動作の実行時に各種のデータを一時的に記憶するためのメモリであり、回線電圧値メモリ１４ａ、判定値メモリ１４ｂを備えている。回線電圧値メモリ１４ａは、電話回線３１の開放時、すなわち半導体化ＤＡＡ３３において、回線網を制御するための直流回路が開放された状態である時、半導体化ＤＡＡ３３に供給される電圧値を記憶するメモリである。また、回線電圧値メモリ１４ａは、電話回線３１の開放時において電圧検出回路３４により検出された電圧値を、検出した順に記憶するものであり、本実施例では１０個分の電圧値を記憶することができる。この回線電圧値メモリ１４ａに記憶された１０個の電圧値は、後述する外付電話フックアップ判定処理（図３参照）において、その１０個分の電圧値の平均値が定常電圧値Ｖｒ（図５参照）として算出された後、回線電圧値メモリ１４ａから消去される。
【００３１】
判定値メモリ１４ｂは、外付け電話３のフックアップ又はフックダウンを判定するための判断基準値となる判定値Ｖｔを記憶するメモリである。この判定値Ｖｔは、図５に示すように、電話回線３１が開放状態である場合の回線電圧の平均値である定常電圧値Ｖｒよりも所定の基準量ｓだけ小さい値である。すなわち、外付け電話３がフックアップされると、図示しないフックスイッチがオンとされ、電話回線３１と外付け電話３との間の直流回路が閉結されて、その分だけ半導体化ＤＡＡ３３へ供給される電圧が降下するので、電圧検出回路３４により検出される電圧値が、定常電圧値Ｖｒよりも所定の基準量ｓを超えて小さい場合には、外付け電話３がフックアップされたと判定することができるのである。この判定値メモリ１４ｂの値は、電話回線３１が開放状態である間は定期的に更新される。
【００３２】
ＥＥＰＲＯＭ１３は書換可能な不揮発性のメモリであり、定常電圧値メモリ１３ａ、閾値メモリ１３ｂを備えている。ＥＥＰＲＯＭ１３へ記憶されたデータは、ファクシミリ装置１の電源オフ後も保持される。定常電圧値メモリ１３ａは、上記回線電圧値メモリ１４ａに記憶された１０個分の電圧値の平均値である定常電圧値Ｖｒを記憶するためのメモリである。この定常電圧値メモリ１３ａは、回線電圧値メモリ１４ａに１０個の電圧値が記憶されると、その１０個の電圧値から算出される平均値により更新されるので、電話回線３１が開放状態である間は定期的に更新される。
【００３３】
閾値メモリ１３ｂは、外付け電話３のフックアップを判定するための判定値を算出するために用いられる閾値を記憶するためメモリであり、製造時には初期値として、０．８が書き込まれている。後述する外付電話フックアップ判定処理（図３参照）において、定常電圧値メモリ１３ａに記憶された定常電圧値Ｖｒに、閾値メモリ１３ｂに記憶された閾値、例えば０．８を乗算した値が判定値Ｖｔとして算出され、その判定値Ｖｔに基づいて、外付け電話３のフックアップが判定されるのである。閾値メモリ１３ｂの値は、後述する基準量変更処理（図４参照）においてユーザが操作パネル４から入力操作した値により更新することができる。ここで、閾値としては０より大きく１以下の値が用いられる。
【００３４】
このように外付け電話３のフックアップを判定する判断基準となる判定値は、ＥＥＰＲＯＭ１３内に設けられている定常電圧値メモリ１３ａの値と、閾値メモリ１３ｂの閾値とを乗算することにより算出されるのであるが、このＥＥＰＲＯＭ１３内へ記憶されたデータは、ファクシミリ装置１の電源オフ後も保持されるので、電源の再投入時は、前回分の定常電圧値メモリ１３ａの値と閾値メモリ１３ｂの値に基づいて、外付け電話３のフックアップを判定する判定値が算出される。
【００３５】
画像メモリ１５は、通信履歴、画像データ及び印刷のためのビットイメージを記憶するためのメモリであり、安価な大容量メモリであるダイナミックＲＡＭ（ＤＲＡＭ）により構成されている。受信された画像データは、一旦画像メモリ１５に記憶され、プリンタ２５によって記録紙に印刷された後に、この画像メモリ１５から消去される。また、スキャナ２２によって読み取られた画像データも、この画像メモリ１５に記憶される。
【００３６】
モデム２０は、画情報及び通信データを変調及び復調して伝送すると共に伝送制御用の各種手順信号を送受信するためのものである。バッファ２１は、相手側装置との間で送受信される符号化された画情報を含むデータを一時的に記憶するためのものである。
【００３７】
スキャナ２２は、原稿挿入口に挿入された原稿を画像データとして読み取るためのものであり、原稿搬送用モータを備えている。符号化部２３は、スキャナ２２により読み取られた画像データの符号化を行うものである。復号化部２４は、バッファ２１または画像メモリ１５に記憶された画像データを読み出して、これを復号化するものであり、復号化されたデータは、プリンタ２５により記録紙に印刷される。プリンタ２５は、インクジェット方式のプリンタで構成され、記録紙を搬送する記録紙用搬送モータと、印字ヘッドを搭載したキャリッジを移動させるキャリッジモータと、記録紙へインクを吐出する印字ヘッドとを備えている。アンプ２７は、そのアンプ２７に接続されたスピーカ２８を鳴動して、呼出音や音声を出力するためのものである。
【００３８】
このように構成されたファクシミリ装置１は、回線Ｉ／Ｆ１９を介して、電話回線３１に接続されている。この電話回線３１は、本ファクシミリ装置１の交換機２９に接続され、この交換機２９は電話回線３２を介して、他の交換機に接続されている。なお、他の交換機は、更に、電話回線を介して相手側装置や転送先となる他の装置に接続されている。
【００３９】
図２は、半導体化ＤＡＡ３３を有する回線Ｉ／Ｆ部１９の構成を示すブロック図である。半導体化ＤＡＡ３３は、主に回線終端、ハイブリット、リング信号の検出等の機能を持っている。そして、半導体化ＤＡＡ３３とモデム２０との間には、半導体化ＤＡＡ３３とモデム２０とを直流的に絶縁し、かつデータ・信号などを伝達する絶縁部である絶縁部３５が介在している。
【００４０】
回線Ｉ／Ｆ部１９には、半導体化ＤＡＡ３３の外、ＴＥＬ→ＦＡＸ切換のためＣＭＬ（Connect MODEM to Line）リレー３６、整流器３７、及び直流ループカット用コンデンサ３８ａ、３８ｂ、３８ｃ、３８ｄ等が設けられている。なお、Ｌ１，Ｌ２は電話回線３１側への端子であり、Ｔ１，Ｔ２は外付け電話３側への端子である。
【００４１】
ＦＡＸデータのＡ／Ｄ変換、Ｄ／Ａ変換を行うＣＯＤＥＣ４０が半導体化ＤＡＡ３３に設けられているので、絶縁部３５はディジタル伝達になる。したがって、絶縁部３５には高絶縁のコンデンサ３５ａ、３５ｂが用いられる。
【００４２】
待機時は、図２に示すように、ＣＭＬリレー３６は外付け電話３側にオンにされており、ＦＡＸ通信が始まると、混線を防止すべく、ＣＰＵ１１よりＣＭＬリレー制御信号をオフにして回線網を外付け電話３から切り離す。
【００４３】
整流器３７は、回線網の直流ループ電流の極性を一方向へ整流するものである。半導体化ＤＡＡ３３の電源は、トランス４６を通してモデム２０側から供給され、整流器３７により整流されて電話回線３１の電圧極性に関係なく一定極性の電圧になる。電圧検出回路３４は整流器３７により整流されて半導体ＤＡＡ３３に供給される電圧を検出するものであり、図２に示すように、整流器３７とハイブリッドネットワーク４４とを結ぶ接続線とＣＯＤＥＣ４０とに接続されている。電圧検出回路３４による検出結果は、半導体化ＤＡＡ３３から、モデム２０を介して、ＣＰＵ１１へ出力される。
【００４４】
ハイブリットネットワーク４４は、回線網の開放および閉結を行うためのものであり、電話回線３１からのＦＡＸデータを送信／受信データに分離する２線−４線変換回路，送信データの受信経路への回り込みを抑制するキャンセラー回路，及びフィルタ回路等から構成される。このハイブリッドネットワーク４４には、図２に示すように、回線網、ＣＯＤＥＣ４０、シリアルＩ／Ｆ４１及びグランドが接続されている。なお、ＣＯＤＥＣ４０との間には、送信アンプ４２が介在している。
【００４５】
ＣＯＤＥＣ４０は、ＦＡＸ受信データ及び送信データのＡ／Ｄ変換及びＤ／Ａ変換を行うためのものである。このＣＯＤＥＣ４０には、図２に示すように、回線網、外付け電話３、ハイブリッドネットワーク４４及びシリアルＩ／Ｆ４１が、送信アンプ４２又はトーンアンプ４３を介して、接続されている。
【００４６】
なお、送信アンプ４２は、送信データのゲイン調整を行うためのものである。また、トーンアンプ４３は差動型の増幅器であり、電話回線３１の端子Ｌ１、Ｌ２に対し、差動入力になっている。
【００４７】
ＣＯＤＥＣ４０に電話回線３１又は外付け電話３からトーン信号が到来すると、トーンアンプ４３→ＣＯＤＥＣ４０→シリアルＩ／Ｆ４１→絶縁部３５→モデム２０の順に流れ、ＣＯＤＥＣ４０から送信されるトーン検出信号がＣＰＵ１１により検出される。
【００４８】
リング検出回路３９は、図２に示すように、回線網、外付け電話３及びシリアルＩ／Ｆ４１に接続されている。リング検出回路３９に電話回線３１からリング信号が到来すると、それと同じサイクルで、リング検出回路３９→シリアルＩ／Ｆ４１→絶縁部３５のコンデンサａを通り、リング検出信号がＬ（ローレベル）からＨ（ハイレベル）へ（又はその逆へ）変化することにより、モデム２０を介して、ＣＰＵ１１により検出される。
【００４９】
トランジスタ４５は、電圧検出回路３４により検出される回線閉結時の回線電圧が予め定められた電圧電流特性となるように、ベース電位を変えることにより、半導体化ＤＡＡ３３の見かけ上の抵抗値を調整するためのものである。
【００５０】
シリアルＩ／Ｆ４１は、リング検出回路３９からのリング検出信号等の各信号、及びＣＯＤＥＣ４０からのＦＡＸ受信データを、絶縁部３５のコンデンサ３５ｂに対しシリアルデータに一本化する一方、電話回線３１の閉結、開放を半導体化ＤＡＡ３３に行わせるための制御信号及びＣＯＤＥＣ４０へのＦＡＸ送信データに対し、絶縁部３５のコンデンサ３５ａからのシリアル信号をそれぞれに分離するものである。
【００５１】
図５は、電圧検出回路３４により検出される回線電圧値を示すグラフである。電話回線３１の開放時において、電圧検出回路３４により検出される回線電圧は、ほぼ一定の値である。定常電圧値Ｖｒは、電話回線３１の開放時において１００ｍｓ毎に検出される１０個分の回線電圧値の平均値を表している。ここで、判定値Ｖｔは定常電圧値Ｖｒに１以下の値である閾値を乗算して算出されることから、定常電圧値Ｖｒよりも所定の基準量ｓだけ低い値となる。
【００５２】
そして、外付け電話３をフックアップすることにより、電話回線３１側から外付け電話３へ電流が流れて半導体化ＤＡＡ３３へ供給される電圧が降下してＶ１となると、電圧検出回路３４により検出される電圧値が所定の基準量ｓを超えて低下して判定値Ｖｔ以下となり、外付け電話３がフックアップ状態であると判断することができるのである。
【００５３】
ここで、判定値Ｖｔとは、定常電圧値Ｖｒに閾値メモリ１３ｂの値を乗算したものであることから、判定値Ｖｔと定常電圧値Ｖｒとの差である基準量ｓは、閾値メモリ１３ｂの閾値により決定される。外付け電話３をフックアップしたときに、電圧検出回路３４により検出される回線電圧値の電圧降下の程度は、外付け電話３の内部抵抗により変化するので、本実施例においては、後述する基準量変更処理（図４参照）で、閾値メモリ１３ｂの値を変更することにより、基準量ｓを変更できるものとした。また、電話回線３１が開放している状態において、電話回線３１よりリング信号が送出されてくると、図５の区間Ｔにおける振幅ＣＩに示すように回線電圧値が上昇するので、リング信号検出期間中の回線電圧値は、定常電圧値Ｖｒの算出には含まないものとした。
【００５４】
次に、上記のように構成されたファクシミリ装置１の各処理について、図３、図４のフローチャートを参照し説明する。図３に示す外付電話フックアップ判定処理は、電話回線３１が開放状態の間、すなわち、半導体化ＤＡＡ３３において回線網の動作の制御を行う直流回路の開放中に実行される処理であり、半導体化ＤＡＡ３３において直流回路が閉結されると、処理を抜ける。
【００５５】
図３に示すように、この外付電話フックアップ処理では、まず、電話回線３１が開放中か否かを判定する（Ｓ１）。例えば、ＦＡＸ通信中など、電話回線３１が閉結されている場合は（Ｓ１：Ｎｏ）、外付電話フックアップ判定処理を終了する。
【００５６】
一方、待機中など、電話回線３１が開放されている場合（Ｓ１：Ｙｅｓ）、定常電圧値メモリ１３ａに記憶された定常電圧値Ｖｒに閾値メモリ１３ｂの値を乗算し、得られた値を判定値Ｖｔとして判定値メモリ１４ｂに書き込む（Ｓ２）。
【００５７】
この定常電圧値メモリ１３ａには、前回検出された１０個分の回線電圧値の平均値が定常電圧値Ｖｒとして記憶されており、閾値メモリ１３ｂには、例えば０．８などの１以下の所定の値が記憶されている。したがって、判定値メモリ１４ｂに記憶される判定値Ｖｔは、前回検出された電圧値の平均値である定常電圧値Ｖｒよりも所定の基準量ｓだけ小さい値となる。
【００５８】
次に、回線電圧値メモリ１４ａを初期化して、回線電圧値メモリ１４ａに記憶された１０個の電圧値を全て消去する（Ｓ３）。続いて、変数ｉを１とし（Ｓ４）、タイマをリセットして０とする（Ｓ５）。
【００５９】
続いて、電圧検出回路３４により検出された回線電圧値を、回線電圧値メモリ１４ａのｉ番目に記憶する（Ｓ６）。次に、回線電圧値メモリ１４ａのｉ番目の値がｉ−１番目の値との差が基準範囲内であるか否かを調べる（Ｓ７）。すなわち、前回検出した回線電圧値に比較して、今回検出した回線電圧値が基準範囲を超えて大きく変化したか否かを判定するのである。この基準範囲とは、例えば±１．５Ｖの範囲であり、ＲＯＭ１２に予め記憶されている。
【００６０】
回線電圧値メモリ１４ａのｉ番目の値とｉ−１番目の値の差が基準範囲内である場合（Ｓ７：Ｙｅｓ）、その電圧値の変化は小さなノイズまたはゆらぎなどに起因する許容範囲内のバラツキなので、Ｓ８に進んでリング信号を検出中か否かを調べる（Ｓ８）。リング信号検出中である場合（Ｓ８：Ｙｅｓ）、図５にも示すように、回線電圧値が高くなるので、その回線電圧値は回線電圧値メモリ１４ａに記憶せず、Ｓ５の処理に戻る。
【００６１】
一方、リング信号を検出中でない場合（Ｓ８：Ｎｏ）、回線電圧値を所定回数検出したか否かを、変数ｉが１０か否かに基づいて調べる（Ｓ９）。変数ｉが１０でない場合（Ｓ９：Ｎｏ）、今回の回線電圧値の取得から所定間隔が経過したか否かを、タイマの値が１００ｍｓとなったか否かに基づいて調べ（Ｓ１０）、タイマの値が１００ｍｓを経過していない場合、すなわち、今回の回線電圧値の検出から所定間隔が経過していない場合（Ｓ１０：Ｎｏ）、待機する。一方で、今回の回線電圧値の検出から所定間隔が経過した場合（Ｓ１０：Ｙｅｓ）、変数ｉに１を加算して（Ｓ１１）、Ｓ５の処理に戻る。
【００６２】
本実施例において、所定間隔とは、今回の回線電圧値の検出から次回の回線電圧値の検出までの時間間隔を意味しており、例えば１００ｍｓである。また、本実施例において、所定回数とは、定常電圧値Ｖｒを算出するまでに回線電圧値を検出する回数を意味しており、例えば１０回である。
【００６３】
Ｓ９の処理において変数ｉが１０であると判定された場合（Ｓ９）、回線電圧値メモリ１４ａの１０個の値の平均値を算出し、その値を定常電圧値Ｖｒとして定常電圧値メモリ１３ａを更新し（Ｓ１２）、Ｓ２の処理に戻る。したがって、Ｓ２において、今回取得した回線電圧値から算出された定常電圧値Ｖｒに基づいて判定値Ｖｔが更新されることになる。
【００６４】
Ｓ７の処理において、回線電圧値メモリ１４ａのｉ番目の値とｉ−１番目の値との差が基準範囲を超えている場合（Ｓ７：Ｎｏ）、そのｉ番目の回線電圧値が判定値メモリ１４ｂに記憶された判定値よりも小さいか否かを調べる（Ｓ１３）。回線電圧値メモリ１４ａのｉ番目の回線電圧値が判定値Ｖｔよりも大きい場合（Ｓ１３：Ｎｏ）、その電圧値の変動は、たとえば大きなノイズ（例えば、クロストーク、混線）によるものなのでＳ３の処理に戻るが、電圧検出回路３４により検出された回線電圧値が判定値Ｖｔよりも小さい場合（Ｓ１３：Ｙｅｓ）、外付け電話３のフックアップにより電圧が降下したと判断し、ファクシミリ装置１のＬＣＤ５において外付け電話３がフックアップされていることを表示する（Ｓ１４）。
【００６５】
続いて、電圧検出回路３４により検出される回線電圧値を１００ｍｓ毎に監視し（Ｓ１５）、その値が判定値メモリ１４ｂに記憶された判定値Ｖｔよりも大きい場合（Ｓ１６：Ｙｅｓ）は、外付け電話３のフックダウンにより回線電圧値が上昇したと判断することができるので、ファクシミリ装置１のＬＣＤ５において、外付け電話３がフックアップ状態である旨の表示をクリアする（Ｓ１７）。
【００６６】
一方、Ｓ１６において電圧検出回路３４により検出される回線電圧値が判定値メモリ１４ｂに記憶された判定値Ｖｔよりも小さいと判断された場合（Ｓ１６：Ｎｏ）、回線電圧値が０Ｖか否かを調べる（Ｓ１８）。回線電圧値が０Ｖでない場合（Ｓ１８：Ｎｏ）、Ｓ１５の処理に戻るが、電圧検出回路３４により検出される回線電圧値が０Ｖであるとき（Ｓ１８：Ｙｅｓ）、ファクシミリ装置１から電話回線３１が引き抜かれた状態と判断することができるので、ファクシミリ装置１のＬＣＤ５において、外付け電話３がフックアップ状態である旨の表示をクリアし、電話回線３１が引き抜かれた状態であることを表示や音などで報知する（Ｓ１９）。そして、電圧検出回路３４により検出される回線電圧値を１００ｍｓ毎に監視し（Ｓ２０）、回線電圧値が０Ｖよりも大きいか否かを調べる（Ｓ２１）。回線電圧値が０Ｖより大きくない場合（Ｓ２１：Ｎｏ）、電話回線３１がファクシミリ装置１から引き抜かれた状態のままであるので待機するが、電圧検出回路３４により検出される回線電圧値が０Ｖより大きい場合（Ｓ２１：Ｙｅｓ）、ファクシミリ装置１と電話回線３１が再接続されて電圧が半導体化ＤＡＡ３３に供給される状態になったと判断することができるので、Ｓ１５の処理に戻る。
【００６７】
例えば、外付け電話３がフックアップ状態のままで、ノイズなどにより回線電圧が変動した場合、外付け電話３がフックアップ状態のときの回線電圧値、例えば図５に示すＶ１程度の値に基づいて定常電圧値Ｖｒが更新されると、その不適切な定常電圧値Ｖｒに基づいて判定値Ｖｔが更新されてしまうという不都合が生じる。そこで、本実施例においては、一旦外付け電話３のフックアップを表示した後は、外付け電話３のフックダウンを判断するまで、判定値Ｖｔの更新を行わないことにしたのである。
【００６８】
次に、図４に示す、基準量変更処理について説明する。この処理は、所定時間毎に開始されるものである。まず、閾値の値の変更が、操作パネル４から指示されたか否かを調べる（Ｓ３１）。変更が指示されていない場合（Ｓ３１：Ｎｏ）、処理を終了するが、変更が指示された場合（Ｓ３１：Ｙｅｓ）、閾値メモリ１３ｂの値を、操作パネル４から入力された値で更新する（Ｓ３２）。上述のように、外付け電話３のフックアップを判定するための判定値は、定常電圧値Ｖｒに閾値を乗算した値として決定される。したがって、閾値メモリ１３ｂの値を変更することにより、基準量ｓ（図５参照）も変更することができる。基準量ｓは、外付け電話３のフックアップにより低下する回線電圧値の低下量を考慮した値とする必要があるが、外付け電話３の内部抵抗によって、その外付け電話３をフックアップした場合の電圧降下の程度が異なる場合があるので、閾値メモリ１３ｂの値を変更することにより、ユーザが基準量ｓを任意に設定できるようにしたのである。
【００６９】
尚、本実施例において、請求項１記載の外付け監視手段としては図３のＳ１３，Ｓ１６，Ｓ２１の処理が該当する。請求項３記載の定常電圧決定手段としては図３のＳ３からＳ１２の処理が該当する。請求項３記載の判定値設定手段としては図３のＳ２の処理が該当する。請求項１０の基準量変更手段としては、図４のＳ３２の処理が該当する。
【００７０】
本実施例のファクシミリ装置１によれば、半導体化ＤＡＡ３３に設けられた電圧検出回路３４からの回線電圧を定期的に検出し、その検出値に基づいて外付け電話３の使用状態を監視することができる（Ｓ１３，Ｓ１６，Ｓ２１）。よって、外付け電話３の使用状態を監視するために回線網と外付け電話３との間に従来設けられていた電流検出回路を設ける必要がないので、ファクシミリ装置１の小型化と低コスト化を実現できる。
【００７１】
また本実施例のファクシミリ装置１によれば、外付け監視手段（Ｓ１３）は、電圧検出回路からの検出値が、予め設定されている判定値以下の場合に、外付け電話がフックアップ状態であると判断するので（Ｓ１４）、好適に外付け電話３のフックアップ状態を判断することができる。すなわち、外付け電話３がフックアップ状態になると回線側から外付け電話３へ電流が流れて、半導体化ＤＡＡ３３に設けられた電圧検出回路３４において検出される電圧が降下するので、電圧検出回路３４からの検出値が所定の判定値以下である場合には、外付け電話３がフックアップ状態であると判断することができるのである。
【００７２】
また本実施例のファクシミリ装置１によれば、電圧検出回路３４からの回線電圧が、電話回線３１の開放時の定常電圧値Ｖｒよりも所定の基準量ｓ小さい値である判定値Ｖｔ以下である場合に、外付け電話３がフックアップ状態であると判断するので、例えば、本ファクシミリ装置を設置する国、地域、あるいは回線の使用環境等によって回線電圧が変化しても、回線開放時の回線電圧（定常電圧）が取得できればどのような地域、環境においても好適に外付け電話３のフックアップ状態を判断することができる。
【００７３】
また本実施例のファクシミリ装置１によれば、電話回線３１の開放中に電圧検出回路３４からの回線電圧を所定間隔毎に連続して所定回数検出し、その回線電圧の平均値を定常電圧値Ｖｒとして決定することから、国、地域、あるいは回線の使用環境等によって回線電圧（定常電圧）が変化しても、それを装置側で検出して自動的に回線電圧（定常電圧）を取得することができるため、外付け電話の使用状態を判断するための判定値として適切な値を算出することができ、本装置が設置される環境に左右されず、好適に外付け電話３のフックアップ状態を検出することができる。
【００７４】
また本実施例のファクシミリ装置１によれば、定常電圧決定手段（Ｓ３〜Ｓ１２）は、回線電圧を検出する毎に、前回の検出値との差が基準範囲内か否かを判断し、基準範囲内となる検出値が所定回数連続して得られた場合に、その平均値を前記定常電圧Ｖｒとして決定することから、回線電圧がクロストーク（混線）等により一時的に変動したとしても、外付け電話３の使用状態を判断するための判定値Ｖｔとして適切な値を算出することができる。
【００７５】
また本実施例のファクシミリ装置１によれば、定常電圧決定手段（Ｓ３〜Ｓ１２）により新たに定常電圧値Ｖｒが得られる毎に、判定値設定手段（Ｓ２）は判定値Ｖｔの更新を行うことから、回線電圧が異なる回線網に接続を変更した場合（例えば、回線電圧が４８Ｖの公衆電話網（ＰＳＴＮ）へ接続している状態から内線交換機（ＰＢＸ）、ＩＳＤＮ、インターネットプロトコル電話（ＩＰ電話）へ接続を変更した場合）であっても、常に適切な判定値Ｖｔに基づいて外付け電話３のフックアップ状態又はフックダウン状態を判定することができる。
【００７６】
また本実施例のファクシミリ装置１によれば、定常電圧決定手段（Ｓ３〜Ｓ１２）による回線電圧の検出の際に、前回の検出値との差が基準範囲内でないと判断された場合（Ｓ７）、外付け監視手段（Ｓ１３）は、その回線電圧が判定値以下であるか否かを判断し、判定値以下であれば外付け電話がフックアップ状態であると判断することから（Ｓ１４）、定常電圧決定手段（Ｓ３〜Ｓ１２）による定常電圧値Ｖｒの決定処理を行いつつ外付け電話３の使用状態の監視を行うことができるので、定常電圧値Ｖｒの決定処理のために外付け電話３の使用状態を監視することができない期間が生じることはなく、外付け電話３の使用状態の監視を連続的に行うことができる。
【００７７】
また本実施例のファクシミリ装置によれば、外付け監視手段（Ｓ１６，Ｓ２１）は、外付け電話３がフックアップ状態であると判断された以降も電圧検出回路３４からの回線電圧の検出を継続して行い、その電圧検出回路３４からの検出値が、予め設定されている判定値Ｖｔより大きい場合に、外付け電話３がフックダウン状態であると判断しており、外付け監視手段（Ｓ１６）によりフックダウン状態と判断されるまでは、定常電圧決定手段（Ｓ３〜Ｓ１２）による定常電圧の決定処理（Ｓ１２）を行わないので、常に外付け電話３がフックダウンの状態で検出される回線電圧に基づいて判定値Ｖｔの更新を行うため（Ｓ２）、適切な判定値Ｖｔに基づいて外付け電話３の使用状態を監視することができる。
【００７８】
また本実施例のファクシミリ装置によれば、電話回線３１側から送信されるリング信号を検出している場合には、定常電圧決定手段（Ｓ３〜Ｓ１２）による定常電圧の決定処理（Ｓ１２）を行わないので、リング信号の到来により、回線電圧が高くなり、半導体ＤＡＡ３３に高い電圧が供給されている状態で、その通常よりも高い電圧値に基づいて判定値Ｖｔを更新することを防止できるので適切な判定値Ｖｔを算出でき、外付け電話３の使用状態を適切に判定することができるという効果がある。
【００７９】
また本実施例のファクシミリ装置によれば、所定の基準量ｓを変更するための基準量変更手段（Ｓ３２）を備えていることから、判定値Ｖｔを決定するための基準量ｓを、個々の外付け電話の内部抵抗に応じて設定することができ、外付け電話の使用状態を適切に監視することができ、本ファクシミリ装置の設置される環境に、より適した値に判定値Ｖｔを設定することができるという効果がある。
【００８０】
以上実施例に基づき本発明を説明したが、本発明は上記実施例に何ら限定されるものでなく、本発明の趣旨を逸脱しない範囲内で種々の改良変形が可能であることは容易に推察できるものである。
【００８１】
たとえば、本実施例においては、回線電圧を１００ｍｓ毎に連続して１０回検出するこによりその回線電圧の定常電圧値を決定していたが、この時間間隔（所定間隔）及び回数（所定回数）は、適宜定められる。
【図面の簡単な説明】
【００８２】
【図１】ファクシミリ装置の全体構成を示したブロック図である。
【図２】半導体化ＤＡＡを使用した回線Ｉ／Ｆ部の構成を示したブロック図である。
【図３】ファクシミリ装置で実行される外付け電話フックアップ判定処理を示したフローチャートである。
【図４】ファクシミリ装置で実行される基準値変更処理を示したフローチャートである。
【図５】電圧検出回路により検出される電圧値を示すグラフである。
【符号の説明】
【００８３】
１              ファクシミリ装置
３              外付け電話
１４ｂ          判定値メモリ（判定値記憶手段）
１９            回線Ｉ／Ｆ部
３１            回線
３３            半導体化ＤＡＡ
３４            電圧検出回路
４５            トランジスタ（調整手段）
ｓ              基準量
Ｖｒ            定常電圧値
Ｖｔ            判定値
【図１】
2005057659.tif 000003
【図２】
2005057659.tif 000004
【図３】
2005057659.tif 000005
【図４】
2005057659.tif 000006
【図５】
2005057659.tif 000007